(57)【要約】【課題】除草剤を用いないために安全性に優れ、かつ雑草の種子の発芽を抑制することができるとともに経済性にも優れる植物の育成方法を提供する。【解決手段】畝１の上面２から両側面３にわたってマルチシート４を敷設した後に、土壌が露出する畝１間に、もみ殻またはもみ殻燻炭５を畝１の側面３との間にマルチシート４を挟むように敷くとともに、マルチシート４に形成した開口６に植物７を定植する。【選択図】図１
2018014944.tif 000002
【特許請求の範囲】
【請求項１】
畝の上面から両側面にわたってマルチシートを敷設した後に、土壌が露出する上記畝間に、もみ殻またはもみ殻燻炭を上記畝の側面との間に上記マルチシートを挟むように敷くとともに、上記マルチシートに形成した開口に植物を定植することを特徴とする植物の育成方法。
【請求項２】
上記開口に定植した上記植物の周囲の土壌表面にも、上記もみ殻またはもみ殻燻炭を敷くことを特徴とする請求項１に記載の植物の育成方法。
【請求項３】
上記植物は、薬草類の植物であることを特徴とする請求項１または２に記載の植物の育成方法。
【請求項４】
上記植物は、カンゾウ属植物であることを特徴とする請求項１ないし３のいずれかに記載の植物の育成方法。
【発明の詳細な説明】
【技術分野】
【０００１】
本発明は、畝に植物を定植した後に、当該畝の周囲等において生育する雑草を抑制することができる植物の育成方法に関するものである。
【背景技術】
【０００２】
畝に植物を定植して栽培を行う際に、上記畝の周囲に雑草が繁茂しないように、予め防除処理を施しておくことが重要である。
【０００３】
このような雑草防除に用いる除草剤として、例えば下記特許文献１においては、米糠、ふすま、粟、稗、籾殻、木屑、豆類等を原料とし、枯草菌、乳酸菌、芽胞菌、放線菌、酵母菌により発酵処理した除草剤が提案されている。
【０００４】
ところが、上記除草剤を散布する方法にあっては、特に栽培面積が広くなると、防除費用が嵩んで経済性に劣るとともに、例えばカンゾウ属植物のような除草剤として薬剤が認められていない植物の栽培には用いることができないという問題点があった。
【０００５】
また、他の雑草防除方法として、予め土壌の全面にマルチシートを敷いて、当該マルチシートに形成した開口に植物を定植する方法も知られている。
【０００６】
しかしながら、上記マルチシートを栽培土壌の全面に敷く方法においては、栽培する植物の栽培期間が短い場合には好適であるものの、上述したカンゾウ属植物のように栽培に１年半〜２年程度を要する植物に対しては、降雨等による土壌への水分の供給が遮断されることから適用することができないという問題や、通常のマルチシートでは、このような長期に使用する場合、栽培途中でマルチシートが破損して雑草の生育を抑制できないという問題があった。また、長期の使用に耐え得るマルチシートは、コストが嵩むという問題があった。
【先行技術文献】
【特許文献】
【０００７】
【特許文献１】特開２００３−２３１６０５号公報
【発明の概要】
【発明が解決しようとする課題】
【０００８】
本発明は、上記事情に鑑みてなされたものであり、除草剤を用いないために安全性に優れ、かつ雑草の種子の発芽を抑制することができるとともに経済性にも優れる植物の育成方法を提供することを課題とするものである。
【課題を解決するための手段】
【０００９】
上記課題を解決するため、請求項１に記載の本発明に係る植物の育成方法は、畝の上面から両側面にわたってマルチシートを敷設した後に、土壌が露出する上記畝間に、もみ殻またはもみ殻燻炭を上記畝の側面との間に上記マルチシートを挟むように敷くとともに、上記マルチシートに形成した開口に植物を定植することを特徴とするものである。ここで、もみ殻燻炭とは、もみ殻を４００℃以下の低温でいぶして炭化させたものである。
【００１０】
また、請求項２に記載の発明は、請求項１に記載の発明において、上記開口に定植した上記植物の周囲の土壌表面にも、上記もみ殻またはもみ殻燻炭を敷くことを特徴とするものである。
【００１１】
さらに、請求項３に記載の発明は、請求項１または２に記載の発明において、上記植物は、薬草類の植物であることを特徴とするものであり、請求項４に記載の発明は、請求項１〜３のいずれかに記載の発明において、上記植物は、カンゾウ属植物であることを特徴とするものである。
【発明の効果】
【００１２】
請求項１〜４のいずれかに記載の発明によれば、土壌が露出する畝間にもみ殻またはもみ殻燻炭を敷いているために、上記畝に定植した植物の育成中に、雨水を上記もみ殻またはもみ殻燻炭を通して畝に供給することができる。しかも、雑草の種子が畝の周囲に飛散して畝間に敷いたもみ殻またはもみ殻燻炭上に付着した場合においても、上記もみ殻またはもみ殻燻炭は撥水性があり、かつ含水率が低いために、上記種子の発芽を抑制することができる。
【００１３】
加えて、仮に雨水等によってもみ殻またはもみ殻燻炭上に付着した種子が発芽した場合においても、これが畝にまで到達して生育することを抑制することができる。ここで、上記もみ殻またはもみ殻燻炭を敷きつめる厚さは、５ｃｍ以上であることが好ましく、７ｃｍ以上であることがより好ましく、１０ｃｍ以上であることが更に好ましい。
【００１４】
また、上記もみ殻またはもみ殻燻炭を、畝の上面から両側面にわたって敷いたマルチシートを畝の側面との間に挟むように敷いているために、マルチシートの端部と畝の側面との境目から雑草が生育することも抑制することができる。
【００１５】
さらに、請求項２に記載の発明にように、植物を定植したマルチシートの開口内にももみ殻またはもみ殻燻炭を敷いておけば、定植した植物の周囲の土壌から雑草が生育することも抑制することができる。
【００１６】
この結果、雑草の種子の発芽を抑制することができるとともに、もみ殻は未分解の有機物であり、もみ殻燻炭は無機物であって、いずれも除草剤を含んでいないために安全性に優れ、しかも安価であることから経済性にも優れる。
【００１７】
この際に、特にもみ殻燻炭は、表面に小径のポーラスを有する無機物であり、植物に有益な土壌菌等の微生物が付着して植物の生長を促進するとともに、通気性や水はけを改善する機能を有しているために、当該もみ殻燻炭を用いれば、使用後に土壌と混和することにより土壌改良材として活用することも可能になる。
【００１８】
以上のことから、本発明は、請求項３または４に記載の発明にように、現時点において使用可能な除草剤が認めてられていない薬草類の栽培に好適であり、より好適に使用できるものとしては、１年半〜２年程度の長期の生育期間を要するカンゾウ属植物の栽培である。
【図面の簡単な説明】
【００１９】
【図１】本発明の一実施形態を説明するための畝部分の横断面図である。
【図２】畝の上面の一部を拡大して示す斜視図である。
【図３】本発明の実施例の結果を示す写真である。
【発明を実施するための形態】
【００２０】
以下、図面に基づいて本発明に係る植物の育成方法をカンゾウ属植物の育成方法に適用した一実施形態について説明する。
図１および図２に示すように、この育成方法においては、先ず土壌を、間隔（３０ｃｍ程度）をおいて筋状に高く（４０ｃｍ程度）盛り上げることにより複数条の畝１を形成し、各々の畝１の上面２（幅約５０ｃｍ）から両側面３にわたってマルチシート４を敷設する。ここで、マルチシート４は、両端部に土が被せられることにより固定されている。
【００２１】
次いで、土壌が露出する畝１の間に、約１０ｃｍの厚さ寸法にもみ殻またはもみ殻燻炭５を敷く。この際に、もみ殻またはもみ殻燻炭５を、畝１の側面３との間にマルチシート４の端部分４ａを挟むように敷く。
【００２２】
これと前後して、畝１の上面２に位置するマルチシート４に形成した開口６に、図示されない予備育成用容器等においてカンゾウ属植物の種を蒔いて発芽させ、所定の大きさまで生育させた定植苗７を定植する。
【００２３】
次いで、開口部６の定植苗７の周囲にも、同様にもみ殻またはもみ殻燻炭５を敷いて、上記定植苗７を育成する。
【００２４】
以上の構成からなるカンゾウ属植物の育成方法においては、土壌が露出する畝１間に、もみ殻またはもみ殻燻炭５を敷いているために、畝１に定植したカンゾウ属植物の定植苗７の育成中に、雨水をもみ殻またはもみ殻燻炭５を通して畝に供給することができる。このため、１年半〜２年程度の長期の生育期間を要するカンゾウ属植物を栽培する際にも、土壌への水の供給を妨げることがない。
【００２５】
しかも、もみ殻またはもみ殻燻炭５は撥水性があり、かつ含水率が低いために、雑草の種子が畝１の周囲に飛散して、畝１間に敷いたもみ殻またはもみ殻燻炭５上に付着した場合においても、上記種子の発芽を抑制することができる。
【００２６】
加えて、もみ殻またはもみ殻燻炭５を、約１０ｃｍの厚さ寸法に敷いているために、仮に雨水等によってもみ殻またはもみ殻燻炭上に付着した種子が発芽した場合においても、上記もみ殻またはもみ殻燻炭５の層によって畝１にまで到達して生育することを抑制することができる。
【００２７】
さらに、もみ殻またはもみ殻燻炭５を、畝１の上面２から両側面３にわたって敷いたマルチシート４の端部分４ａを畝１の側面３との間に挟むように敷いているために、マルチシート４の端部と畝１の側面３との境目から雑草が生育することもない。また、カンゾウ属植物の定植苗７を定植したマルチシート４の開口６内にももみ殻またはもみ殻燻炭５を敷いているために、上記開口６内の土壌から雑草が生育することも抑制することができる。
【００２８】
この結果、雑草の種子の発芽を抑制することができるとともに、もみ殻５は未分解の有機物であり、もみ殻燻炭５は無機物であって除草剤を含んでいないために安全性に優れ、しかも安価であることから経済性にも優れる。
【実施例】
【００２９】
図３は、畝間にもみ殻を敷いて、カンゾウ属植物を育成した実験結果を示すものである。
図３に見られるように、スプリンクラーのラインには、もみ殻を敷いていないために、雑草繁茂が多いのに対して、もみ殻を敷いた畝間には雑草が繁っていない。
また、この実験においては、カンゾウ属植物の定植苗を植えたマルチシートの開口にはもみ殻を敷いていなかったために、雑草が繁茂している箇所が有ることが判る。
【００３０】
なお、上記実施形態においては、本発明に係る植物の育成方法を、カンゾウ属植物の育成方法に適用した場合についてのみ説明したが、本発明はこれに限定されるものではなく、畝に定植する他の様々な植物の育成にも同様に適用することが可能である。
【符号の説明】
【００３１】
１  畝
２  上面
３  側面
４  マルチシート
５  もみ殻またはもみ殻燻炭
６  開口
７  カンゾウ属植物の定植苗
【図１】
2018014944.tif 000003
【図２】
2018014944.tif 000004
【図３】
2018014944.tif 000005